(57)【要約】【課題】報酬の算定、および、患者の来局状況の両方の管理を適切かつ効率的に行うこと。【解決手段】患者情報表示装置１０の表示部２が、患者から受け付けた処方箋に対応する患者情報を表示し、制御部４が、同一の医療機関により発行され、同日の異なる時刻に受け付けた複数の処方箋に対応する患者情報をそれぞれの時刻に対応する複数の受け付けとして表示部２に表示させる第１の制御と、複数の処方箋に対応する患者情報を１回の受け付けとして表示部２に表示させる第２の制御とを切り替える。【選択図】図１
2018169816.tif 000002
【特許請求の範囲】
【請求項１】
患者から受け付けた処方箋に対応する患者情報を表示する表示部と、
同一の医療機関により発行され、同日の異なる時刻に受け付けた複数の処方箋に対応する患者情報をそれぞれの時刻に対応する複数の受け付けとして前記表示部に表示させる第１の制御と、前記複数の処方箋に対応する患者情報を１回の受け付けとして前記表示部に表示させる第２の制御とを切り替える制御部と、
を備える患者情報表示装置。
【請求項２】
前記制御部は、前記第１の制御において、複数の受け付けとして前記表示部に表示された患者情報のいずれかが選択された場合に、同一の医療機関により発行され、同日の異なる時刻に受け付けた複数の処方箋に記載された情報の入力を一括して受け付ける入力画面を前記表示部に表示させる請求項１に記載の患者情報表示装置。
【請求項３】
前記制御部は、異なる医療機関により発行され、一括して受け付けた複数の処方箋に対応する患者情報を、前記第１の制御においては、１回の受け付けとして前記表示部に表示させ、前記第２の制御においては、処方箋の数に対応する回数分の受け付けとして前記表示部に表示させる請求項１または２に記載の患者情報表示装置。
【請求項４】
前記制御部は、前記第２の制御において、処方箋の数に対応する回数分の受け付けとして前記表示部に表示された患者情報のいずれかが選択された場合に、選択された患者情報に対応する処方箋に記載された情報の入力を受け付ける入力画面を前記表示部に表示させる請求項３に記載の患者情報表示装置。
【請求項５】
前記制御部は、異なる医療機関により発行され、同日の異なる時刻に受け付けた複数の処方箋に対応する患者情報を、前記第１の制御、および、前記第２の制御において、それぞれの時刻に対応する受け付けとして前記表示部に表示させる請求項１〜４のいずれか１項に記載の患者情報表示装置。
【請求項６】
前記制御部は、同一の医療機関により発行され、一括して受け付けた複数の処方箋に対応する患者情報を、前記第１の制御、および、前記第２の制御において、１回の受け付けとして前記表示部に表示させる請求項１〜５のいずれか１項に記載の患者情報表示装置。
【請求項７】
同一の医療機関により発行され、同日の異なる時刻に受け付けた複数の処方箋に対応する患者情報をそれぞれの時刻に対応する複数の受け付けとして表示部に表示させる第１の制御、または、前記複数の処方箋に対応する患者情報を１回の受け付けとして前記表示部に表示させる第２の制御のいずれかを実行する制御ステップと、
前記第１の制御と前記第２の制御との間で制御を切り替える切替ステップと、
を含む患者情報表示方法。
【請求項８】
同一の医療機関により発行され、同日の異なる時刻に受け付けた複数の処方箋に対応する患者情報をそれぞれの時刻に対応する複数の受け付けとして表示部に表示させる第１の制御、または、前記複数の処方箋に対応する患者情報を１回の受け付けとして前記表示部に表示させる第２の制御のいずれかを実行する制御手順と、
前記第１の制御と前記第２の制御との間で制御を切り替える切替手順と、
をコンピュータに実行させる患者情報表示プログラム。
【発明の詳細な説明】
【技術分野】
【０００１】
本発明は、患者から受け付けた処方箋に対応する患者情報を表示する患者情報表示装置、患者情報表示方法、および、患者情報表示装置プログラムに関する。
【背景技術】
【０００２】
薬剤師は、病院等の医療機関が発行した処方箋に従って薬剤を調合する。その際、薬剤師は、処方箋の内容を見て、適切な投与量になっているか、重複投与となっていないか、禁忌処方となっていないかなどを調べる処方監査を行う。
【０００３】
このような薬剤師の業務を支援するため、例えば、特許文献１には、会計処理を行っていない患者と会計処理を行った患者とを区別し、処理待ち患者一覧と処理済み患者一覧を表示するレセプトコンピュータが開示されている。
【先行技術文献】
【特許文献】
【０００４】
【特許文献１】特開２００８−６５５９０号公報
【発明の概要】
【発明が解決しようとする課題】
【０００５】
調剤報酬の算定においては、同一の医療機関により発行された複数の処方箋を、同日の異なる時刻に同一の患者から受け付けた場合、１回の受け付けとして取り扱われる。しかし、薬局では、同日の異なる時刻に患者から処方箋を受け付けたという経過を適切に管理したいという要望がある。
【０００６】
本発明は、かかる従来の課題を解決するためになされたものであり、報酬の算定、および、患者の来局状況の両方の管理を適切かつ効率的に行うことを可能とする患者情報表示装置、患者情報表示方法、および、患者情報表示装置プログラムを提供することを目的とする。
【課題を解決するための手段】
【０００７】
上記目的を達成するために、本発明にかかる患者情報表示装置は、患者から受け付けた処方箋に対応する患者情報を表示する表示部と、同一の医療機関により発行され、同日の異なる時刻に受け付けた複数の処方箋に対応する患者情報をそれぞれの時刻に対応する複数の受け付けとして表示部に表示させる第１の制御と、複数の処方箋に対応する患者情報を１回の受け付けとして表示部に表示させる第２の制御とを表示の切り替え指示を受け付けた場合に切り替える制御部と、を備える。
【０００８】
また、本発明にかかる患者情報表示方法は、同一の医療機関により発行され、同日の異なる時刻に受け付けた複数の処方箋に対応する患者情報をそれぞれの時刻に対応する複数の受け付けとして表示部に表示させる第１の制御、または、複数の処方箋に対応する患者情報を１回の受け付けとして表示部に表示させる第２の制御のいずれかを実行する制御ステップと、第１の制御と第２の制御との間で制御を切り替える切替ステップと、を含む。
【０００９】
また、本発明にかかる患者情報表示プログラムは、同一の医療機関により発行され、同日の異なる時刻に受け付けた複数の処方箋に対応する患者情報をそれぞれの時刻に対応する複数の受け付けとして表示部に表示させる第１の制御、または、複数の処方箋に対応する患者情報を１回の受け付けとして表示部に表示させる第２の制御のいずれかを実行する制御手順と、第１の制御と第２の制御との間で制御を切り替える切替手順と、をコンピュータに実行させる。
【発明の効果】
【００１０】
本発明によれば、報酬の算定、および、患者の来局状況の両方の管理を適切かつ効率的に行うことができるという効果が得られる。
【図面の簡単な説明】
【００１１】
【図１】本発明の実施形態にかかる患者情報表示装置の一例を示す図
【図２】表示の切り替えの一例を示す図
【図３】処方箋に記載された情報の入力を一括して受け付ける入力画面の一例を示す図
【図４】本実施形態にかかる患者情報表示処理の処理手順の一例を示すフローチャート
【図５】処方箋情報入力処理の処理手順の一例を示すフローチャート
【発明を実施するための形態】
【００１２】
以下、本発明の実施形態について図面を参照しつつ説明する。なお、本発明はこの実施形態に限定されるものではなく、種々の変形が可能である。
【００１３】
図１は、本発明の実施形態にかかる患者情報表示装置１０の一例を示す図である。患者情報表示装置１０は、入力部１、表示部２、記憶部３、および、制御部４を有する。
【００１４】
入力部１は、例えば、キーボード、マウス等の入力デバイスである。入力部１は、ユーザからの指示操作、選択操作などを受け付け、受け付けた操作の内容を制御部４に伝達する。
【００１５】
例えば、入力部１は、患者から受け付けた処方箋に対応する患者情報の表示の切替指示を受け付ける。この表示の切り替えについては、後に詳しく説明する。
【００１６】
表示部２は、種々の情報を表示可能な液晶ディスプレイなどの表示デバイスである。例えば、表示部２は、制御部４による制御により、患者から受け付けた処方箋に対応する患者情報を表示する。
【００１７】
患者情報とは、例えば、患者から受け付けた処方箋に対応する通し番号、患者氏名、処方箋の受付時刻、処方箋を処方した医療機関、処方箋の情報がすでに入力されたか否かを示す情報などである。
【００１８】
記憶部３は、種々の情報を記憶するハードディスク装置やメモリなどの記憶デバイスである。例えば、記憶部３は、上述した患者情報が登録された患者情報テーブル３ａを記憶する。
【００１９】
制御部４は、患者情報表示装置１０の各部の処理を制御するＣＰＵ（Central Processing Unit）などの制御デバイスである。
【００２０】
例えば、制御部４は、同一の医療機関により発行され、同日の異なる時刻に受け付けた複数の処方箋に対応する患者情報をそれぞれの時刻に対応する複数の受け付けとして表示部２に表示させる制御（以下、第１の制御と呼ぶ。）と、複数の処方箋に対応する患者情報を１回の受け付けとして表示部２に表示させる制御（以下、第２の制御と呼ぶ。）とを、ユーザから表示の切り替え指示を受け付けた場合に切り替える。
【００２１】
図２は、表示の切り替えの一例を示す図である。図２には、窓口受付単位表示２０と報酬算定単位表示２１の２種類が示されている。
【００２２】
窓口受付単位表示２０とは、同一の医療機関により発行され、同日の異なる時刻に受け付けた複数の処方箋に対応する患者情報が、それぞれの時刻に対応する複数の受け付けとして表示される画面である。
【００２３】
図２の例では、医療機関Ｘにより発行され、同じ日の午前９時３０分、および、午後３時３０分に受け付けた複数の処方箋に対応する患者情報が、それぞれの時刻に対応する通し番号１、１０の受け付けとして表示されている。
【００２４】
報酬算定単位表示２１とは、同一の医療機関により発行され、同日の異なる時刻に受け付けた複数の処方箋に対応する患者情報が、１回の受け付けとして表示される画面である。
【００２５】
図２の例では、医療機関Ｘにより発行され、午前９時３０分、および、午後３時３０分に受け付けた複数の処方箋に対応する患者情報が、通し番号１の１回の受け付けとして表示されている。
【００２６】
また、制御部４は、異なる医療機関により発行され、一括して受け付けた複数の処方箋に対応する患者情報を、第１の制御においては、１回の受け付けとして表示部２に表示させ、第２の制御においては、処方箋の数に対応する回数分の受け付けとして表示部２に表示させる。
【００２７】
例えば、図２の窓口受付単位表示２０では、医療機関Ｙ、および、医療機関Ｚにより発行され、午前９時４０分に一括して受け付けられた２つの処方箋に対応する患者情報が、通し番号２の１回の受け付けとして表示されている。
【００２８】
また、図２の報酬算定単位表示２１では、医療機関Ｙ、および、医療機関Ｚにより発行され、午前９時４０分に一括して受け付けられた２つの処方箋に対応する患者情報が、通し番号２、３の２回の受け付けとして表示されている。
【００２９】
さらに、制御部４は、異なる医療機関により発行され、同日の異なる時刻に受け付けた複数の処方箋に対応する患者情報を、第１の制御、および、第２の制御において、それぞれの時刻に対応する受け付けとして表示部２に表示させる。
【００３０】
第１の制御においては、この表示は、同一の医療機関により発行され、同日の異なる時刻に受け付けた複数の処方箋に対応する患者情報（図２の窓口受付単位表示２０における通し番号１、１０の患者情報。ただし、この場合、医療機関が異なる。）の表示と同様の表示である。
【００３１】
第２の制御においては、この表示は、異なる医療機関により発行され、一括して受け付けた複数の処方箋に対応する患者情報（図２の報酬算定単位表示２１における通し番号２、３の患者情報。ただし、この場合、受付時刻が異なる。）の表示と同様の表示である。
【００３２】
また、制御部４は、同一の医療機関により発行され、一括して受け付けた複数の処方箋に対応する患者情報を、第１の制御、および、第２の制御において、１回の受け付けとして表示部２に表示させる。
【００３３】
第１の制御においては、この表示は、異なる医療機関により発行され、一括して受け付けた複数の処方箋に対応する患者情報（図２の窓口受付単位表示２０における通し番号２の患者情報。ただし、この場合、医療機関が同一となる。）の表示と同様の表示である。
【００３４】
第２の制御においては、この表示は、同一の医療機関により発行され、同日の異なる時刻に受け付けた複数の処方箋に対応する患者情報（図２の報酬算定単位表示２１における通し番号１の患者情報。ただし、この場合、受付時刻が同時刻となる。）の表示と同様の表示である。
【００３５】
このように、患者情報表示装置１０は、第１の制御、および、第２の制御を切り替えることにより、報酬の算定、および、患者の来局状況の両方の管理を適切かつ効率的に行うことができる。
【００３６】
さらに、制御部４は、第１の制御において、複数の受け付けとして表示部３に表示された患者情報（例えば、図２における通し番号１、１０の患者情報）のいずれかがユーザによる入力部１の操作等により選択された場合に、同一の医療機関により発行され、同日の異なる時刻に受け付けた複数の処方箋に記載された情報の入力を一括して受け付ける入力画面を表示部２に表示させる。
【００３７】
図３は、処方箋に記載された情報の入力を一括して受け付ける入力画面３０の一例を示す図である。図３に示すように、この入力画面３０では、通し番号１に対応する処方箋に記載された情報が入力される入力領域３１と、通し番号１０に対応する処方箋に記載された情報が入力される入力領域３２とが表示される。
【００３８】
さらに、制御部４は、第２の制御において、処方箋の数に対応する回数分の受け付けとして表示部２に表示された患者情報（例えば、図２における通し番号２、３の患者情報）のいずれかが選択された場合に、選択された患者情報に対応する処方箋に記載された情報の入力を受け付ける入力画面を表示部２に表示させる。
【００３９】
この場合は、図３に示したように、複数の入力領域３１、３２が表示されるのではなく、選択された患者情報に対応する処方箋に記載された情報の入力を受け付ける入力領域３１のみが表示される。
【００４０】
次に、図４、図５を参照して、本実施形態にかかる患者情報表示処理の処理手順について詳しく説明する。図４は、本実施形態にかかる患者情報表示処理の処理手順の一例を示すフローチャートである。また、図５は、図４に示した処方箋情報入力処理の処理手順の一例を示すフローチャートである。
【００４１】
まず、患者情報表示装置１０の制御部４は、入力部１を介して、ユーザから窓口受付単位表示２０、または、報酬算定単位表示２１のいずれの表示を行うかの選択を受け付ける（ステップＳ１０１）。そして、制御部４は、報酬算定単位表示２１が選択されたか否かを判定する（ステップＳ１０２）。
【００４２】
報酬算定単位表示２１が選択された場合（ステップＳ１０２においてＹＥＳの場合）、制御部４は、表示部２を制御して、報酬算定単位表示２１を表示部２に表示させる（ステップＳ１０３）。
【００４３】
その後、制御部４は、入力部１を介して、ユーザから報酬算定単位表示２１に含まれる患者情報の選択を受け付けたか否かを判定する（ステップＳ１０４）。
【００４４】
患者情報の選択を受け付けた場合（ステップＳ１０４においてＹＥＳの場合）、処方箋情報入力処理が実行される（ステップＳ１０５）。この処方箋情報入力処理については後に図５を用いて説明する。
【００４５】
患者情報の選択を受け付けていない場合（ステップＳ１０４においてＮＯの場合）、ステップＳ１０９以降の処理が実行される。
【００４６】
ステップＳ１０２において、報酬算定単位表示２１が選択されていない場合（ステップＳ１０２においてＮＯの場合）、制御部４は、表示部２を制御して、窓口受付単位表示２０を表示部２に表示させる（ステップＳ１０６）。
【００４７】
その後、制御部４は、入力部１を介して、ユーザから窓口受付単位表示２０に含まれる患者情報の選択を受け付けたか否かを判定する（ステップＳ１０７）。
【００４８】
患者情報の選択を受け付けた場合（ステップＳ１０７においてＹＥＳの場合）、処方箋情報入力処理が実行される（ステップＳ１０８）。この処方箋情報入力処理についても後に図５を用いて説明する。
【００４９】
患者情報の選択を受け付けていない場合（ステップＳ１０７においてＮＯの場合）、ステップＳ１０９以降の処理が実行される。
【００５０】
ここで、図５を用いて、ステップＳ１０５、および、ステップＳ１０８で実行される処方箋情報入力処理について説明する。図５は、処方箋情報入力処理の処理手順の一例を示すフローチャートである。
【００５１】
まず、制御部４は、図４のステップＳ１０４、または、ステップＳ１０７において、ユーザにより選択された患者と同じ患者の患者情報であって、かつ、選択された患者の医療機関と同じ医療機関の患者情報があるか否かを判定する（ステップＳ２０１）。
【００５２】
同じ患者、および、同じ医療機関の患者情報がある場合（ステップＳ２０１においてＹＥＳの場合）、制御部４は、表示部２を制御して、図３に示したように、複数の処方箋に記載された情報が入力される複数の領域を表示部２に表示させる（ステップＳ２０２）。
【００５３】
その後、制御部４は、入力部１を介して、ユーザから複数の処方箋に記載された情報の入力を受け付け（ステップＳ２０３）、この処方箋情報入力処理は終了する。
【００５４】
ステップＳ２０１において、同じ患者、および、同じ医療機関の患者情報がない場合（ステップＳ２０１においてＮＯの場合）、制御部４は、表示部２を制御して、選択された患者情報に対応する処方箋に記載された情報の入力を受け付ける領域を表示部２に表示させる（ステップＳ２０４）。
【００５５】
その後、制御部４は、入力部１を介して、ユーザから複数の処方箋に記載された情報の入力を受け付け（ステップＳ２０５）、この処方箋情報入力処理は終了する。
【００５６】
図４の説明に戻ると、ステップＳ１０４、または、ステップＳ１０７において、患者情報の選択を受け付けていない場合（ステップＳ１０４、または、ステップＳ１０７においてＮＯの場合）、あるいは、ステップＳ１０５、または、ステップＳ１０８の処理の後、制御部４は、入力部１を介して、ユーザから窓口受付単位表示２０、または、報酬算定単位表示２１の表示の切り替え指示を受け付けたか否かを判定する（ステップＳ１０９）。
【００５７】
表示の切り替え指示を受け付けた場合（ステップＳ１０９においてＹＥＳの場合）、ステップＳ１０２以降の処理が実行される。表示の切り替え指示を受け付けていない場合（ステップＳ１０９においてＮＯの場合）、制御部４は、入力部１を介して、ユーザから表示の終了指示を受け付けたか否かを判定する（ステップＳ１１０）。
【００５８】
表示の終了指示を受け付けた場合（ステップＳ１１０においてＹＥＳの場合）、この患者情報表示処理は終了する。表示の終了指示を受け付けていない場合（ステップＳ１１０においてＮＯの場合）、ステップＳ１０９以降の処理が実行される。
【００５９】
以上説明したように、本実施形態では、表示部２が、患者から受け付けた処方箋に対応する患者情報を表示し、制御部４が、同一の医療機関により発行され、同日の異なる時刻に受け付けた複数の処方箋に対応する患者情報をそれぞれの時刻に対応する複数の受け付けとして表示部２に表示させる第１の制御と、複数の処方箋に対応する患者情報を１回の受け付けとして表示部２に表示させる第２の制御とを表示の切り替え指示を受け付けた場合に切り替える。
【００６０】
これにより、報酬の算定、および、患者の来局状況の両方の管理を適切かつ効率的に行うことができる。
【００６１】
以上、本発明に係る実施形態について図面を参照して詳述してきたが、上述した各装置の機能は、コンピュータプログラムにより実現され得る。
【００６２】
上述した各装置の機能をプログラムにより実現するコンピュータは、キーボードやマウス、タッチパッドなどの入力装置、ディスプレイやスピーカーなどの出力装置、ＣＰＵ（Central Processing Unit）、ＲＯＭ（Read Only Memory）、ＲＡＭ（Random Access Memory）、ハードディスク装置やＳＳＤ（Solid State Drive）などの記憶装置、ＤＶＤ−ＲＯＭ（Digital Versatile Disk Read Only Memory）やＵＳＢ（Universal Serial Bus）メモリなどの記録媒体から情報を読み取る読取装置、ネットワークを介して通信を行うネットワークカードなどを備え、各部はバスにより接続される。
【００６３】
そして、読取装置は、上記各装置の機能を実現するためのプログラムを記録した記録媒体からそのプログラムを読み取り、記憶装置に記憶させる。あるいは、ネットワークカードが、ネットワークに接続されたサーバ装置と通信を行い、サーバ装置からダウンロードした上記各装置の機能を実現するためのプログラムを記憶装置に記憶させる。
【００６４】
そして、ＣＰＵが、記憶装置に記憶されたプログラムをＲＡＭにコピーし、そのプログラムに含まれる命令をＲＡＭから順次読み出して実行することにより、上記各装置の機能が実現される。
【産業上の利用可能性】
【００６５】
以上説明してきたように、本発明は、患者から受け付けた処方箋に対応する患者情報を表示する装置に適用できる。
【符号の説明】
【００６６】
１  入力部
１０  患者情報表示装置
２  表示部
２０  窓口受付単位表示
２１  報酬算定単位表示
３  記憶部
３ａ  患者情報テーブル
３０  入力画面
３１  入力領域
３２  入力領域
４  制御部
【図１】
2018169816.tif 000003
【図２】
2018169816.tif 000004
【図３】
2018169816.tif 000005
【図４】
2018169816.tif 000006
【図５】
2018169816.tif 000007